(57)【要約】  【課題】   シールド型コネクタにおいて、基板への取付脚の位置および形状の自由度を高いものにし、また、シールドシェルの継目を保護して、基板実装前であっても、一体性を保つことができるとともに、基板に実装したときの基板からの高さを低くすることができるようにする。  【解決手段】  コンタクト８と、コンタクト８を収容する絶縁ハウジング６と、絶縁ハウジング６の外周を覆うとともに絶縁ハウジング６の一面上に継目６０を有する金属製のシールドシェル１０とを備えるシールド型コネクタ１において、シールドシェル１０が別体の金属製の取付部材７０を有し、取付部材７０が継目６０を覆う面を有するとともに、シールド型コネクタ１を基板２６に実装するための取付脚８２をシールドシェル１０の両側に対応する位置に有する。【選択図】          図６
2005302362.tif 000002
【特許請求の範囲】
【請求項１】
コンタクトと、該コンタクトを収容する絶縁ハウジングと、該絶縁ハウジングの外周を覆うとともに該絶縁ハウジングの一面上に継目を有する金属製のシールドシェルとを備えるシールド型コネクタにおいて、
前記シールドシェルが別体の金属製の取付部材を有し、該取付部材が前記継目を覆う面を有するとともに、前記シールド型コネクタを基板に実装するための取付脚を前記シールドシェルの両側に対応する位置に有することを特徴とするシールド型コネクタ。
【請求項２】
前記取付脚が、前記シールドシェルの側壁から離間して上方または下方に延びており、
前記シールド型コネクタが基板に取り付けられると、前記シールドシェルが、前記基板の切欠内に配置され、前記取付脚が前記基板に実装されるよう構成されていることを特徴とする請求項１記載のシールド型コネクタ。
【発明の詳細な説明】
【技術分野】
【０００１】
本発明は、携帯電話等の電気／電子機器に使用されるシールド型コネクタに関し、特に狭い空間内に配置される基板に実装されるシールド型コネクタに関するものである。
【背景技術】
【０００２】
シールド型コネクタとして従来から種々の形式のものが知られている。例えば、矩形の絶縁ハウジングの周囲に、１枚の金属製のシールドシェルを折り曲げて配置したものが知られている（特許文献１）。このコネクタにおいては、シールドシェルの底面に、シールドシェルの端縁同士が当接する継目が形成されている。そしてこの底面にはさらに、相手方コネクタのシールドシェルへ接触する接触片があり、さらに、この底面から切り起こして基板へ取り付けられる取付脚が形成されている。
【０００３】
また、２体からなるシールドシェルを絶縁ハウジングの周囲に配置した形式のコネクタも知られている（特許文献２）。このシールドシェルは、上下に分割されており、ハウジングの側壁の部分で互いに重なるとともに、重なる部分で相互に係合して一体的に組み合わされるようになっている。
【特許文献１】米国特許第５,７９７,７７０号明細書（図１０、図１１）
【特許文献２】特開２００３−１８７９１６号公報（図１、図２）
【発明の開示】
【発明が解決しようとする課題】
【０００４】
上記特許文献１に開示されたコネクタにおいては、シールドシェルの部品点数は少ないものの基板への取付脚の位置及び形状については、接触片を同じ底面に形成する必要があるため制約を受ける。そのため、最も好ましい取付位置に設定し、適切な寸法を確保することが困難となるおそれがある。また、継目の部分は、単に当接しているだけなので、基板取付前に外力を受けると広がり、シールドシェルが変形するおそれがある。
【０００５】
また、特許文献２に記載されたコネクタにおいては、上下のシールドシェルが側壁の部分で相互に係合しているので、基板取付後のシールドシェルの強度は高い。しかし、基板取付前に、下シェルの上に重なった上シェルの側壁が外力により開き、シェル同士の相互の係合が不確実になるおそれがある。
【０００６】
本発明は、以上の事情に鑑みてなされたものであり、基板への取付脚を最も適切な形状、および位置に容易に形成することができ、設計の自由度が高く、基板に確実に取り付けることが可能なシールド型コネクタを提供することを目的とする。
【０００７】
本発明の他の目的は、１枚のシールドシェルを折り曲げて成形された継目を保護し、基板実装前に外力を受けても、シールドシェルとしての一体性を保つことができるシールド型コネクタを提供することにある。
【０００８】
さらに本発明の別の目的は、コネクタを基板に実装したとき、コネクタが基板から突出する高さを低くできるシールド型コネクタを提供することにある。
【０００９】
さらに本発明の他の目的は、取付脚の延びる向きを上下２通り用意することにより、基板に対し上面側から実装する形式及び下面側から実装する形式のいずれにも容易に対応できるシールド型コネクタを提供することにある。
【課題を解決するための手段】
【００１０】
本発明のシールド型コネクタは、コンタクトと、コンタクトを収容する絶縁ハウジングと、絶縁ハウジングの外周を覆うとともに絶縁ハウジングの一面上に継目を有する金属製のシールドシェルとを備えるシールド型コネクタにおいて、シールドシェルが別体の金属製の取付部材を有し、取付部材が継目を覆う面を有するとともに、シールド型コネクタを基板に実装するための取付脚をシールドシェルの両側に対応する位置に有することを特徴とするものである。
【００１１】
また、取付脚は、シールドシェルの側壁から離間して上方または下方に延びており、シールド型コネクタが基板に取り付けられると、シールドシェルが、基板の切欠内に配置され、取付脚が基板に実装されるよう構成されていてもよい。
【００１２】
取付部材の両側には、シールドシェルの側壁の外面に重なり、且つ挿抜方向に互いに離隔する第１係止部と第２係止部が各々形成され、シールドシェルには、この第１係止部と第２係止部に係合して取付部材を固定する係合部が形成されるよう構成することができる。
【００１３】
取付脚は、シールドシェルの各側で第１係止部と第２係止部の間に位置していることが好ましい。
【発明の効果】
【００１４】
本発明のシールド型コネクタは、絶縁ハウジングの外周を覆うとともに絶縁ハウジングの一面上に継目を有するシールドシェルが別体の金属製の取付部材を有し、取付部材が継目を覆う面を有するとともに、シールド型コネクタを基板に実装するための取付脚をシールドシェルの両側に対応する位置に有するので、次の効果を奏する。即ち、シールドシェルの構成に影響されることなく、基板への取付脚を最も適切な形状、および位置に容易に形成することができるので、設計の自由度が高くなる。また、取付脚に必要な強度を得ることができるので、取付脚が変形するおそれもなく基板に確実に取り付けることができる。さらに、１枚のシールドシェルを折り曲げて端縁同士の突き当て部に形成された継目が保護されるので、基板実装前に外力を受けても変形することなくシールドシェルとしての一体性を保つことができるシールド型コネクタが得られる。
【００１５】
また、本発明のシールド型コネクタが基板に取り付けられると、シールドシェルが、基板の切欠内に配置され、取付脚が基板に実装されるよう構成されている場合は、コネクタを基板に実装したときの基板からコネクタが突出する高さを低くでき、狭いスペース内に基板とコネクタの組立体を設置することができる。さらに、取付脚の延びる向きを上下２通り用意することにより、基板に対し上面側から実装する形式及び下面側から実装する形式のいずれにも容易に対応できるシールド型コネクタが得られる。
【発明を実施するための最良の形態】
【００１６】
以下、本発明のシールド型コネクタ（以下、単にコネクタという）の好ましい実施の形態について、添付図面を参照して詳細に説明する。図１は、本発明の第１の実施形態に係るシールド型コネクタ（以下、単にコネクタという）１を前部２側から見た斜視図を示す。以下、図１を参照して説明する。
【００１７】
コネクタ１は、絶縁ハウジング（以下、単にハウジングという）６、このハウジング６に保持された複数のコンタクト８、ハウジング６の周囲を覆うように配置された遮蔽部材即ちシールドシェル（以下、単にシェルという）１０およびこのシェル１０の下部に配置された取付部材７０から構成されている。
【００１８】
まず最初に、シェル１０について、図２を合わせて参照して説明する。図２は、ハウジング６を含むシェル１０の斜視図である。シェル１０は、１枚の導電性金属板から打抜かれて、ハウジング６の外周に沿った形状に折曲げ成形されたものであり、ハウジング６の全体がシェル１０に収容される。そして、シェル１０の端縁同士が当接して継目６０が形成される。この継目６０が「あり」と「あり溝」の関係に形成されているので、端縁同士が互いに分離しにくくなっている。
【００１９】
シェル１０の上壁２８の後部４の両側には、上壁２８に固定端を有する片持梁状の舌片３０が、相手方コネクタ（図示せず）の挿抜方向６２と直交する方向に打抜きにより形成されて内方に折り曲げられている。ハウジング６には、この舌片３０と対応する位置に凹部３２が形成されており、舌片３０が凹部３２内に係合している。シェル１０の底壁３６にも、舌片３０と類似の舌片３１が形成されており、同様にハウジング６の下部に形成された凹部３３と係合している（図５）。これらの舌片３０、３１と凹部３２、３３との係合により、シェル１０がハウジング６に固定されている。
【００２０】
シェル１０の両側壁４０の後部４側には、後方に延びてさらに垂下するＬ字形の取付脚４２、４２が下向きに垂下している。シェル１０の前部２近傍には、上壁２８から側壁４０にかけて、Ｌ字状のばね片４６が打抜きにより形成されている。このばね片４６は、固定端を上壁２８に有し、シェル１０の左右の側壁４０に互いに対称的に形成されている。そして、上壁２８から側壁４０にかけて延出するアーム４８と、このアーム４８の先端から後方に直角に延出する係止片５０を有する。この係止片５０には、内向きに弧状に突出した係止突起５２が形成されている。この係止突起５２は、相手方の図示しないコネクタと嵌合したときに、相手方コネクタと相互に係合するようになっている。
【００２１】
両側壁４０の長手方向、即ち挿抜方向６２の略中間部には、切り起こしにより外側、且つ上向きに突出する係合突起（係合部）４４が形成されている。この係合突起４４が取付部材７０と係合するが、係合の態様については後述する。また、両側壁４０の前端にはシェル１０の外方に拡開し、取付部材７０の切欠７６ａと係合する突片（係合部）４９が形成されている。また、側壁４０には、ばね片４６の近傍に下方に延出する舌片４５が形成されている。
【００２２】
なお、図中、シェル１０の上壁２８および底壁３６には、突起即ち圧接突起（ビード）５４、５６が夫々形成されている（図５）。これらの圧接突起５４、５６は、夫々上壁２８、底壁３６から内方に打ち出して形成されたものであり、これらの壁面から僅かに内方に突出している。この突出量は、相手方のコネクタと嵌合する際に、相手方のコネクタの絶縁ハウジングと摺接する寸法となっている。底壁３６の圧接突起５６、５６は、各々略楕円形状を有し、継目６０を挟んで両側に配置されている。これらの圧接突起５４と５６、５６は、相手方コネクタのハウジングに上下方向から付加される力のバランスがとれるように、互いに略対向する位置に形成されている。
【００２３】
次に取付部材７０について、図３を合わせて参照して説明する。図３は、取付部材７０の斜視図である。取付部材７０は、図３に最もよく示すように、シェル１０の底壁３６の下に位置する平坦部（面）７２と、この平坦部７２の両側から外方に傾斜した過渡部７４と、この過渡部７４を経て過渡部７４の前後から夫々上方に、平坦部７２と略直角に突出する舌片状の第１係止部７６と第２係止部７８とを有する。第１係止部７６は、前方に向く切欠７６ａを有し、第２係止部７８は矩形の開口７８ａを有する。そして、第１係止部７６と第２係止部７８との間には、それらの係止部７６、７８の間隔より僅かに小さい幅の取付部８０が形成されている。この取付部８０は、過渡部７４から僅かに外側に偏倚したウェブ８４を経て上方に延びる逆Ｕ字形断面を有している。そして下向きに延びた先端部が、取付部８０よりやや狭幅の取付脚８２となっている。
【００２４】
取付脚８２は、シールドシェルの継目６０や、ばね片４６の存在にかかわらず、取付部材７０の比較的自由な位置に、必要にして十分な幅及び形状で形成することができる。取付脚８２に隣接して取付脚８２の挿抜方向６２の前寄り部分には下向きの突起８０ａが形成されている。この突起８０ａは、取付脚８２が基板２６に挿入されると、基板２６の表面に当接して適切な取付け高さにコネクタ１を維持するよう機能する。前述の過渡部７４には、挿抜方向の略中央に、矩形の開口７４ａが形成されている。平坦部７２には挿抜方向６２と直交する方向に延びる２つの矩形開口７２ａが、取付部材７０の重量軽減のために形成されている。
【００２５】
このように形成された取付部材７０をシェル１０の下に取り付ける態様について、図４および図５も合わせて参照して説明する。図４はコネクタ１を後部４から見た背面図である。また、図５はコネクタ１の底面図である。取付部材７０をシェル１０に取り付けるには、第１係止部７６の切欠７６ａと、シェル１０の突片４９を係合させつつ、下方からシェル１０に取付部材７０を押圧すると、シェル１０の係合突起４４が、取付部材７０の開口７８ａに係合する。そしてシェル１０の下向きの舌片４５が、開口７４ａに貫入する。これにより、取付部材７０は、シェル１０に、挿抜方向６２、左右方向および上下方向に移動しないように固定される。そして、シェル１０は、取付部材７０により両側から保持されるとともに、底壁３６に取付部材７０の平坦部７２が密接して継目６０を覆う。従って、シェル１の側壁４０が拡開してシェル１０の継目６０が離隔することが防止される。
【００２６】
前述のハウジング６は、図４に示すように下側の両隅部にシェルの形状に合わせてテーパ１２が形成されている。そして、前方に突出するコンタクト支持板１６を有する（図６）。このコンタクト支持板１６の上下両面には、所定の間隔で複数のコンタクト受容溝１８が形成されている。コンタクト８は、これらのコンタクト受容溝１８に圧入されて、コンタクト支持板１６に配置される。コンタクト８は、ハウジング６の後部に水平に延出して、後端部に基板２６に接続されるタイン８ａを有する。また、ハウジング６の後部の両端部には、タイン８ａと同じ方向に突出する１対の支持突起２０が、タイン８ａの列より僅かに上にずれた位置に形成されている。この支持突起２０は、コネクタ１が基板２６に取り付けられる際、タイン８ａが基板２６に当接して偶発的に過度に曲げられようとする時に、基板２６に当接してタイン８ａに過度の応力がかかることを阻止するためのものである。
【００２７】
次に、このコネクタ１を基板２６に取り付ける態様について図６を参照して説明する。図６は、第１の実施形態のコネクタ１を基板２６に取り付けた状態を示す斜視図である。コネクタ１が取り付けられる基板２６の端縁には、コネクタ１の幅より僅かに広い幅の切欠２７が形成されている。この切欠２７には、コネクタ１が上方から配置される。切欠２７の近傍には、取付脚４２、８２に対応する位置に貫通孔２６ａ、２６ｂが夫々形成されている。コネクタ１が切欠２７に装着されると、コンタクト８のタイン８ａは基板２６上の導電パッド（図示せず）に表面実装される。また、取付脚４２、８２は、夫々貫通孔２６ａ、２６ｂに挿入されてはんだ付けされる。このように、コネクタ１は基板２６内に配置されるので、コネクタ１の実装高さを低くすることができる。図４には、コネクタ１が基板２６に取り付けられたときに、コンタクト８のタイン８ａが基板２６の上面に表面実装されているのが明瞭に示されている。
【００２８】
次に図７から図１１を参照して、本発明の第２の実施形態について説明する。図７は、第２の実施形態のコネクタの斜視図、図８はハウジングを含むシェルの斜視図、図９は取付部材の斜視図、図１０はコネクタを後部側から見た背面図、図１１はコネクタを基板に取り付けた状態を示す斜視図を夫々示す。なお、説明にあたり、第１の実施形態と異なる点を主に説明し、同じ構成については説明を省略する。この第２の実施形態のコネクタ１０１が第１の実施形態のコネクタ１と大きく異なる点は、コネクタ１０１が基板１２６（図１１）の下面側に取り付けられるように構成されている点である。このため、基板１２６へ取り付けられる取付脚１４２、１８２は上に延びるように形成されている。
【００２９】
まず、最初にシェル１１０について、図８を合わせて参照して説明する。取付脚１４２は、シェル１１０の側壁１４０の後端部から垂下し、さらに後方に延びて上方に向かう鉤形となっている。このシェル１１０にも、第１の実施形態と同様な継目１６０、係合突起１４４及び突片１４９が形成されている。
【００３０】
また、取付部材１７０については、第１係止部１７６と第２係止部１７８の間の取付部１８０は、外側に向けて、平坦部（面）１７２と略平行に延出し、さらに取付脚１８２が上方に延出している。取付部１８０の、平坦部１７２と略平行な面１８２ａは、コネクタ１０１が基板１２６に取り付けられるときに、基板１２６の下面に当接する。第１係止部１７６には、第１実施形態と同様な切欠１７６ａが形成され、第２係止部１７８には開口１７８ａが形成されている。また、平坦部１７２の前部側に矩形開口１７２ａが形成されている。矩形開口１７２ａが形成されていない平坦な領域の下面は、コネクタ１０１を基板１２６に実装する際に使用する吸着装置の吸着面となる。シェル１１０、取付部材１７０およびコンタクト１０８を有するハウジング１０６を第１の実施形態と同様にして組み立てると、図７及び図１０に示すコネクタ１０１となる。
【００３１】
このコネクタ１０１を基板１２６に取り付けるには、基板１２６の切欠１２７にコネクタ１０１を下方から装着する。取付脚１４２、１８２は、基板の貫通孔１２６ａ、１２６ｂに下方から挿入されてはんだ付けされる。コンタクト１０８のタイン１０８ａは、基板１２６の下面に表面実装される。
【００３２】
以上、本発明の好ましい実施の形態について詳細に説明したが、前述の実施の形態に限定されるものではなく、当業者にとって種々の変形、変更が可能であることはいうまでもない。例えば取付脚４２、１４２、８２、１８２は、基板の貫通孔に挿入される形状のものについて説明したが、基板の導電パッド上に表面実装される形状であってもよい。
【００３３】
本願発明は以上のように構成されているので、基板の上面或いは下面に取り付けられる２種類のコネクタを比較的僅かな金型の変更即ち金型のパーツを交換するだけで製造することができる。従って、設計標準化および設備の共用などで、顧客の短納期の要求にも対応することができるという効果も併せ持つ。
【図面の簡単な説明】
【００３４】
【図１】本発明の第１の実施形態に係るシールド型コネクタを前部側から見た斜視図
【図２】図１のシールド型コネクタに使用される、絶縁ハウジングを含むシールドシェルの斜視図
【図３】図１のシールド型コネクタに使用される取付部材の斜視図
【図４】図１のシールド型コネクタを後部から見た背面図
【図５】図１のシールド型コネクタの底面図
【図６】図１のシールド型コネクタを基板に取り付けた状態を示す斜視図
【図７】本発明の第２の実施形態に係るシールド型コネクタを前部側から見た斜視図
【図８】図７のシールド型コネクタに使用される、絶縁ハウジングを含むシールドシェルの斜視図
【図９】図７のシールド型コネクタに使用される取付部材の斜視図
【図１０】図７のシールド型コネクタを後部から見た背面図
【図１１】図７のシールド型コネクタを基板に取り付けた状態を示す斜視図
【符号の説明】
【００３５】
１、１０１    シールド型コネクタ
６、１０６    絶縁ハウジング
８、１０８    コンタクト
１０、１１０    シールドシェル
２７、１２７    切欠
４０、１４０    側壁
６０、１６０    継目
７０、１７０    取付部材
７２、１７２  平坦部（面）
８２、１８２    取付脚
【図１】
2005302362.tif 000003
【図２】
2005302362.tif 000004
【図３】
2005302362.tif 000005
【図４】
2005302362.tif 000006
【図５】
2005302362.tif 000007
【図６】
2005302362.tif 000008
【図７】
2005302362.tif 000009
【図８】
2005302362.tif 000010
【図９】
2005302362.tif 000011
【図１０】
2005302362.tif 000012
【図１１】
2005302362.tif 000013